(57)【要約】【課題】  発色状態からの加熱により変色或いは消色する熱変色性インキを用いて、筆記面上に形成した熱変色性の像または筆跡を変色或いは消色する摩擦具であって、力を必要とせず広い範囲の変色或いは消去作業でも腕に負担をかけることがない。【解決手段】  本体１１にモーター１３を収容し、該モーター１３の回転軸１３aに摩擦体１２を装着した摩擦具１において、一端にＵＳＢプラグ１４を備えたケーブル１５を取り付けたことを特徴とする。【選択図】  図１
2011207087.tif 000002
【特許請求の範囲】
【請求項１】
発色状態からの加熱により変色或いは消色する熱変色性インキを用いて、筆記面上に形成した熱変色性の像または筆跡を変色或いは消色させる摩擦具であって、
本体内にモーターを収容し、
前記本体に装着したケーブルの一端にＵＳＢプラグを備え、
前記ケーブルを前記モーターに電力供給可能に接続し、
前記モーターの回転軸に樹脂材料よりなる摩擦体を取り付け、前記摩擦体を本体の先端部より外部に突出させ、前記モーターの回転により回転する摩擦体によって、前記筆記面上に形成した熱変色性の像または筆跡を擦過し、その際に生じる摩擦熱で前記像または筆跡を変色或いは消色させることを特徴とする摩擦具。
【請求項２】
前記モーターの駆動に必要な電力をＵＳＢ接続されたパーソナルコンピューターから供給することを特徴とする請求項１記載の摩擦具。
【請求項３】
前記摩擦体が、弾性樹脂材料からなり、前記弾性樹脂材料が、ＳＢＳ樹脂、ＳＥＢＳ樹脂、またはシリコーン樹脂からなる請求項１又は２記載の摩擦具。
【発明の詳細な説明】
【技術分野】
【０００１】
本発明は、摩擦具に関する。更に詳細には、熱変色性インキを収容した筆記具により形成された、熱変色性筆跡を擦過熱により変色或いは消去するための電動摩擦具に関する。
【背景技術】
【０００２】
特許文献１には、熱変色性対象物の熱変色層に筆記して熱変色性像を現出させるための熱ペンとして、筆記先端部に自動的に発生させた摩擦熱を熱源とする熱ペンであって、軸胴内の低電圧の印加により駆動する小型モーターが収容されており、軸胴前部には前記モーターの出力軸に取付けたヘッド部材と該ヘッド部材の少なくとも一部を覆うカバー部材を備えた筆記先端部が装備されてなり、前記カバー部材は少なくとも筆記状態でヘッド部材と当接するよう構成されてなる熱ペンが開示されている。
【０００３】
特許文献２には、可逆熱変色性インキを用いて形成された像を摩擦熱で変色させる摩擦体であって、摩擦体がＳＢＳ共重合体またはＳＥＢＳ共重合体からなることが開示されている。
【先行技術文献】
【特許文献】
【０００４】
【特許文献１】実用新案登録第２５０４１７５号公報
【特許文献２】特開２００６−１２３３２４号公報
【発明の概要】
【発明が解決しようとする課題】
【０００５】
前記特許文献１の熱ペンは、カバー部材を介して熱変色層を熱変色させる構成であるため、モーターの回転を開始してからカバー部材が適正な温度に加熱されるまでに時間がかかり、熱変色層を迅速に熱変色させることが困難である。
【０００６】
前記特許文献２の摩擦体は、手動操作により摩擦熱を発生する構成であり、変色させるためには摩擦体を多数回往復擦過動作させる必要があり、手や腕に負担がかかる。
【０００７】
本発明は、前記従来の問題点を解決するものであって、筆記面上の熱変色性の像または筆跡を迅速に消去できる摩擦具を提供しようとするものである。
【課題を解決するための手段】
【０００８】
本発明の摩擦具は、発色状態からの加熱により変色或いは消色する熱変色性インキを用いて、筆記面上に形成した熱変色性の像または筆跡を変色或いは消色させる摩擦具であって、本体内にモーターを収容し、前記本体に装着したケーブルの一端にＵＳＢプラグを備え、前記ケーブルを前記モーターに電力供給可能に接続し、前記モーターの回転軸に樹脂材料よりなる摩擦体を取り付け、前記摩擦体を本体の先端部より外部に突出させ、前記モーターの回転により回転する摩擦体によって、前記筆記面上に形成した熱変色性の像または筆跡を擦過し、その際に生じる摩擦熱で前記像または筆跡を変色或いは消色させることを要旨とする。
また、前記モーターの駆動に必要な電力をＵＳＢ接続されたパーソナルコンピューター（パソコン）から供給すること、前記摩擦体が、弾性樹脂材料からなり、前記弾性樹脂材料が、ＳＢＳ樹脂、ＳＥＢＳ樹脂、またはシリコーン樹脂からなることを要旨とする。
【０００９】
本発明の摩擦体は前記した構成とすることにより、身近にあるパソコンから電力を供給することができるので電池等の動力源を本体内部に収容する必要がなく、摩擦具本体を小型化、細身化、軽量化することができ、パソコンから安定した電力を供給できるので、手軽に熱変色筆跡の消去作業を行うことができる。
又、従来の手動型摩擦具に比較して手、腕への負担が少ないので広い範囲を変色させる場合でも疲労を感じることが無い。
【００１０】
前記摩擦体は高摩耗性の弾性樹脂（例えば、消しゴム等）からなるものよりも、摩擦時に摩耗カス（消しカス）が殆ど生じない低摩耗性の弾性樹脂材料が好適に用いられる。具体的にはシリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等を例示することができるが、ＳＢＳ樹脂、ＳＥＢＳ樹脂、またはシリコーン樹脂が最も好適に用いられる。
【００１１】
前記ＵＳＢプラグは使用するパソコンのＵＳＢポートに合わせて選択される。最も汎用されているのはＡ型であるが、それ以外にＢ型、ミニＡ型、ミニＢ型、マイクロＢ型等から選択することができる。
【発明の効果】
【００１２】
本発明の摩擦具は、筆記面上の熱変色性の像または筆跡を迅速に消去でき、且つ、筆記面上の熱変色性の像または筆跡を広範囲にわたって消去する場合でも手、腕に負担を与えることがない。
【図面の簡単な説明】
【００１３】
【図１】本発明における摩擦具の実施の形態を示す縦断面図である。
【発明を実施するための形態】
【００１４】
＜実施の形態＞
本発明の摩擦具１の実施の形態を図１に示す。
本実施の形態の摩擦具１は、本体１１と、該本体１１内に収容されるモーター１３と、該モーター１３の回転軸１３ａに取り付けられる摩擦体１２と、一端が前記モーター１３に接続され本体１１から延設され他端にＵＳＢプラグ１４を装着したケーブル１５とからなる。
【００１５】
前記モーター１３は、小型直流モーター１３であり、スイッチ１６を介してケーブル１５に接続される。前記モーター１３の回転軸１３ａは、ＵＳＢ接続されたパソコンから供給された電力により回転駆動する。前記スイッチ１６は、本体１１の外面に設けられるとともに、モーター１３とＵＳＢプラグから供給された電源との通電及び通電解除を行う。前記モーター１３の回転軸１３ａに摩擦体１２が保持部材１７を介して取り付けられる。
【００１６】
前記摩擦体１２は、樹脂材料よりなる。前記摩擦体１２を構成する樹脂材料は、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。
【００１７】
前記摩擦体１２が、ＳＢＳ樹脂、ＳＥＢＳ樹脂、またはシリコーン樹脂の弾性樹脂材料からなる場合、回転する摩擦体１２によって、熱変色性の像または筆跡を消色させるための適正な発熱温度を短時間で得ることができる。前記摩擦体１２を構成する軟質樹脂（弾性樹脂材料）は、高摩耗性の弾性樹脂（例えば、消しゴム等）からなるものよりも、摩擦時に摩耗カス（消しカス）が殆ど生じない低摩耗性の弾性樹脂からなる。
【００１８】
前記摩擦体１２は、先端部が凸曲面状または球面状を有し、それにより、摩擦体１２の先端部における筆記面との接触部分が何れであっても、略一定の接触面積が得られる。また、前記摩擦体１２の先端部は、横断面円形状に形成され、それにより、筆記面上の熱変色性の像または筆跡を、円滑に摩擦することができる。
又、前記摩擦体１２は、各種形状、大きさのものを用意し、消去する対象に応じて取り替える構成としてもよい。
【００１９】
本実施の形態では、筆記面（紙面）上に、印刷または筆記によって熱変色性インキの像または筆跡を形成し、前記像または筆跡を、前記摩擦具１を用いて消去する。
【００２０】
本実施の形態の摩擦具１は、筆記面上に形成した熱変色性の像または筆跡を直接、回転する摩擦体１２で摩擦するため、前記像または筆跡を迅速に消去でき、且つ、広範囲にわたって消去する場合でも手、腕に負担を与えることがない。
【符号の説明】
【００２１】
１  摩擦具
１１  本体
１２  摩擦体
１３  モーター
１３ａ  回転軸
１４  ＵＳＢプラグ
１５  ケーブル
１６  スイッチ
１７  保持部材
【図１】
2011207087.tif 000003